(57)【要約】【課題】設置後の或いは設置前の太陽電池パネルに対して外設部材を容易に取り付けることができ、雪止め作用、裏面空間の空気（熱量）を排出する作用を付与することができ、必要に応じて外設部材を容易に取り外して変更できる外設部材の取付構造、及びそれを用いた外装構造を提供する。【解決手段】  本発明は、太陽電池モジュール１０と枠体１１からなる太陽電池パネル１に外設部材２を取り付けた取付構造であって、枠体１１ａは、側面部１１２に上方又は外方が開放する係合溝１３を有し、外設部材２は、取付状態において枠体１１ａより上方に延出する起立部２１と、枠体１１ａの係合溝１３に係合可能な係合部２３と、を有し、外設部材２の係合部２３を枠体１１ａの係合溝１３に係合した状態で長さ方向にスライドさせて一体化可能であることを特徴とする。【選択図】  図１
2015076541.tif 000002
【特許請求の範囲】
【請求項１】
太陽電池モジュールと枠体からなる太陽電池パネルに外設部材を取り付けた取付構造であって、
前記枠体は、側面部に上方又は外方が開放する係合溝を有し、
前記外設部材は、取付状態において前記枠体より上方に延出する起立部と、前記枠体の係合溝に係合可能な複数の係合部と、を有し、
前記外設部材の各係合部を前記枠体の係合溝に係合した状態で長さ方向にスライドさせて一体化可能であることを特徴とする外設部材の取付構造。
【請求項２】
枠体の係合溝は、長手方向に所定間隔で複数設けられ、この係合溝に対応する間隔にて外設部材の係合部が設けられていることを特徴とする請求項１に記載の外設部材の取付構造。
【請求項３】
枠体の側面部には、上方が開放して下方へ延在する縦係合溝と、外方が開放して内方へ延在する横係合溝とが設けられ、外設部材には、縦係合溝に係合可能な縦係合部と、横係合溝に係合可能な横係合部とを有することを特徴とする請求項１又は２に記載の外設部材の取付構造。
【請求項４】
外設部材の少なくとも一方の長手方向端部には、係合部が形成されていないことを特徴とする請求項１〜３の何れか一項に記載の外設部材の取付構造。
【請求項５】
隣接する太陽電池パネルを離間状に配設して開放部を形成し、該開放部の水下側或いは風上側に請求項１〜４の何れか一項に記載の外設部材の取付構造を採用して枠体に外設部材を取り付けていることを特徴とする外装構造。
【発明の詳細な説明】
【技術分野】
【０００１】
本発明は、設置後の或いは設置前の太陽電池パネルに対して外設部材を容易に取り付けることができ、雪止め作用、裏面空間の空気（熱量）を排出する作用を付与することができ、必要に応じて外設部材を容易に取り外して変更できる外設部材の取付構造、及びそれを用いた外装構造に関する。
【背景技術】
【０００２】
太陽電池を屋根上に設置或いは屋根材として敷設した場合、降雪等による積雪に対し、以下のような対策が採られている。
例えば特許文献１には、太陽電池モジュールの上面にポリカーボネート等の透明部材からなる雪止め具を配置することが記載され、特許文献２には、雪止部１ｂ及び回転防止部ｂｃを有する雪止め部材１を、フレーム部材３を介して太陽電池モジュール２に固定する構成が記載され、特許文献３には、上方に突条の三角頂部を有する雪止め具６５を取り付ける構造が記載されている。
【先行技術文献】
【特許文献】
【０００３】
【特許文献１】特開２０００−１７８００号公報
【特許文献２】特許３７００６４６号公報
【特許文献３】特開２００５−１３３５０３号公報
【発明の概要】
【発明が解決しようとする課題】
【０００４】
しかしながら、前記特許文献１〜３等に記載の提案では、雪止め具で雪の滑落を防ぐものであるが、雪の滑落を防ぐことにより積雪部分が太陽電池の受光面積を減少させ、その結果、発電量の低下に繋がるという問題があった。なお、前記特許文献１では、雪止め具の遮光を考慮して透明部材を用いたものの、雪止め具にて堰き止められる積雪の遮光については考慮されていなかった。
【０００５】
また、滑雪が危険な場所に雪止め具を取り付けるのは当然であるが、工場や倉庫等の建築物にあっては、滑雪による危険がそれほど高くないにもかかわらず、雪止め具による遮光で太陽電池の発電量が低下するという問題があった。
【０００６】
そこで、本発明は、設置後の或いは設置前の太陽電池パネルに対して外設部材を容易に取り付けることができ、雪止め作用、裏面空間の空気（熱量）を排出する作用を付与することができ、必要に応じて外設部材を容易に取り外して変更できる外設部材の取付構造、及びそれを用いた外装構造を提案することを目的とする。
【課題を解決するための手段】
【０００７】
本発明は、上記に鑑み提案されたもので、太陽電池モジュールと枠体からなる太陽電池パネルに外設部材を取り付けた取付構造であって、前記枠体は、側面部に上方又は外方が開放する係合溝を有し、前記外設部材は、取付状態において前記枠体より上方に延出する起立部と、前記枠体の係合溝に係合可能な複数の係合部と、を有し、前記外設部材の係合部を前記枠体の係合溝に係合した状態で長さ方向にスライドさせて一体化可能であることを特徴とする外設部材の取付構造に関するものである。
【０００８】
また、本発明は、前記の取付構造において、枠体の係合溝は、長手方向に所定間隔で複数設けられ、この係合溝に対応する間隔にて外設部材の係合部が設けられていることを特徴とする外設部材の取付構造をも提案する。
【０００９】
また、本発明は、前記の取付構造において、枠体の側面部には、上方が開放して下方へ延在する縦係合溝と、外方が開放して内方へ延在する横係合溝とが設けられ、外設部材には、縦係合溝に係合可能な縦係合部と、横係合溝に係合可能な横係合部とを有することを特徴とする外設部材の取付構造をも提案する。
【００１０】
また、本発明は、前記の取付構造において、外設部材の少なくとも一方の長手方向端部には、係合部が形成されていないことを特徴とする外設部材の取付構造をも提案する。
【００１１】
さらに、本発明は、隣接する太陽電池パネルを離間状に配設して開放部を形成し、該開放部の水下側或いは風上側に前記外設部材の取付構造を採用して枠体に外設部材を取り付けていることを特徴とする外装構造をも提案するものである。
【発明の効果】
【００１２】
本発明の外設部材の取付構造は、枠体の側面部に上方又は外方が開放する係合溝を有し、外設部材の下端に前記枠体の係合溝に係合可能な複数の係合部を有し、設置後又は設置前の太陽電池パネルの上方又は外方から外設部材の係合部を枠体の係合溝に係合した状態で長さ方向にスライドさせて一体化することができる。しかも、外設部材の係合部を複数設けたので、スライド幅を最小限にすることができる。また、必要に応じて外設部材を逆方向にスライドさせることにより、容易に枠体から取り外すことができる。
そして、外設部材の取付けは、係合部を、枠体の支持部にではなく側面部に形成した係合溝に取り付けるため、太陽電池モジュールの支持や保持に影響を与えることがなく、取り付けることができる。また、外設部材の起立部は、雪止め具として作用させることができ、太陽電池パネルの裏面空間内の空気を排出する作用も果たすので、太陽電池パネルの裏面空間内の排熱が円滑に行え、太陽電池セルの発電効率の低下を抑制できる。
さらに、前述のように工場や倉庫等の建築物にあっては、滑雪による危険がそれほど高くないにもかかわらず、外設部材（雪止め具）による遮光で太陽電池の発電量が低下するという問題があったが、積雪が多い地域にあっては、外設部材（雪止め具）を取り外すことで雪が滑り落ち、太陽電池表面に積雪することがなく発電を維持できる。このように、本発明の外設部材の取付構造は、積雪量、設置場所（環境）に応じて外設部材を変更（取り外し）できるものである。
【００１３】
また、枠体の係合溝は、長手方向に所定間隔で複数設けられ、この係合溝に対応する間隔にて外設部材の係合部が設けられている場合には、係合溝と係合溝との間、即ち係合溝が設けられない箇所から係合部を沿わせ、長さ方向にスライドさせれば良く、確実に係合、一体化させることができる。
【００１４】
また、枠体の側面部には、上方が開放して下方へ延在する縦係合溝と、外方が開放して内方へ延在する横係合溝とが設けられ、外設部材には、縦係合溝に係合可能な縦係合部と、横係合溝に係合可能な横係合部とを有する場合、係合が縦係合部と縦係合溝、横係合部と横係合溝の両方で行われるので、安定且つ強力な取付状態を得ることができる。
【００１５】
また、外設部材の少なくとも一方の長手方向端部には、係合部が形成されていない場合には、側面フレームに開口部を設けることなくスライドを行うことができる。即ち外方が開放して内方へ延在する横係合溝は、側面フレームによって端縁が塞がれてしまうが、このように長手方向端部に係合部（横係合部）が形成されない部分を設けることにより支障なくスライドさせることができる。
【００１６】
さらに、この外設部材の取付構造を採用して太陽電池パネルの枠体に外設部材を取り付けてなる外装構造は、前述の効果を有する外装構造となり、太陽電池パネルを敷設する新設屋根には勿論のこと、太陽電池パネルを敷設してなる既設屋根にも容易に適用でき、前述の優れた効果を付帯させることができる。
【図面の簡単な説明】
【００１７】
【図１】（ａ）支持部材（垂木）上に配設した太陽電池パネルに本発明の一実施例（第１実施例）の外設部材を取り付けた状態を示す側断面図、（ｂ）その正面図、（ｃ）外設部材を枠体の上方に臨ませた状態を示す斜視図、（ｄ）枠体の上方から外設部材を係合させた状態を示す斜視図、（ｅ）外設部材を長さ方向にスライドさせて一体化した状態を示す斜視図である。
【図２】（ａ）本発明の他の一実施例（第２実施例）の外設部材を枠体の上方に臨ませた状態を示す斜視図、（ｂ）枠体の上方から外設部材を係合させた状態を示す斜視図、（ｃ）外設部材を長さ方向にスライドさせて一体化した状態を示す斜視図である。
【図３】（ａ）本発明の他の一実施例（第３実施例）の取付状態を示す側断面図、（ｂ）外設部材を枠体の側方に臨ませた状態を示す斜視図、（ｃ）枠体の側方から外設部材を係合させた状態を示す斜視図、（ｄ）外設部材を長さ方向にスライドさせて一体化した状態を示す斜視図である。
【図４】（ａ）本発明の他の一実施例（第４実施例）の外設部材を枠体の側方に臨ませた状態を示す斜視図、（ｂ）枠体の側方から外設部材を係合させた状態を示す斜視図、（ｃ）その正面図、（ｄ）外設部材を長さ方向にスライドさせて一体化した状態を示す斜視図、（ｅ）その側断面図である。
【図５】（ａ）本発明の他の一実施例（第５実施例）の取付状態を示す側断面図、（ｂ）外設部材を枠体の側方に臨ませた状態を示す斜視図、（ｃ）枠体の側方から外設部材を係合させた状態を示す斜視図、（ｄ）その正面図、（ｅ）外設部材を長さ方向にスライドさせて一体化した状態を示す斜視図である。
【図６】（ａ）枠体の側面部に２種の通気孔を形成した例を示す斜視図、（ｂ）枠体の側面部に１種の通気孔を形成した例を示す斜視図である。
【発明を実施するための形態】
【００１８】
本発明の外設部材の取付構造は、太陽電池モジュールと枠体からなる太陽電池パネルに外設部材を取り付けた取付構造であって、前記枠体は、側面部に上方又は外方が開放する係合溝を有し、前記外設部材は、取付状態において前記枠体より上方に延出する起立部と、前記枠体の係合溝に係合可能な複数の係合部と、を有し、前記外設部材の係合部を前記枠体の係合溝に係合した状態で長さ方向にスライドさせて一体化可能であることを特徴とする。
なお、この外設部材は、太陽電池パネルの枠体全てに取り付ける必要はなく、風下側であって、流れ方向の水上側に配設される枠体（＝棟側に位置する枠体）に取り付けられることが望ましい。したがって、以下の説明では、太陽電池パネルの周縁の枠体のうち、棟側に位置する枠体に外設部材を取り付けるものとする。
この構成により、太陽電池パネルの枠体の側面部の係合溝に対し、外設部材の係合部を容易に係合させた状態で、長さ方向に容易にスライドさせて一体化することができる。しかも、外設部材の起立部は、雪止め具として作用させることができ、太陽電池パネルの裏面空間内の空気を排出する作用も果たすので、太陽電池パネルの裏面空間内の排熱が円滑に行え、太陽電池セルの発電効率の低下を抑制することができる。また、本発明の外設部材の取付構造は、逆方向にスライドさせることにより、外設部材を容易に取り外すことができる。したがって、積雪量、設置場所（環境）に応じて外設部材を容易に変更（取り外し）できる。
【００１９】
本発明の外設部材の取付対象である太陽電池パネルは、結晶系等の太陽電池セルをガラス等に積層させてモジュール化したものであっても、アモルファス等の薄膜のものであってもよく、薄膜等にあっては、基材となる金属板等に一体化してシート状（板状）或いはボード状にしたものであってもよい。
また、太陽電池パネルは、上記のモジュールの周縁に枠体（フレーム）を配してなり、この枠体は、上端に前記モジュールの周縁を支持する支持部が設けられ、下方へ垂下する側壁部が形成される構成が一般的であるが、本発明における枠体には、側壁部の外側に上方が開放して下方へ延在する縦係合溝が形成されてもよいし、側壁部の外方が開放して内方へ延在する横係合溝が設けられてもよい。なお、本発明では、支持部以外の部分を側面部としている。
なお、前記側壁部の構成については特に限定するものではなく、後述する図示実施例に示すように側壁部に複数の孔を形成する態様も知られているが、本発明の外設部材の取付構造には、当該複数の孔は用いないので、当該複数の孔は、裏面空間の空気（熱量）を排出する役割、特に棟側の枠体の内側隅部に滞留する空気（熱量）を外部へ排出する役割を果たすものである。
さらに、発電量を増大させるために両面受光（発電）型の太陽電池を用いてもよく、この場合、太陽電池の下方に反射部を介在させればよく、下地が兼用するものでも別途設けるものでもよい。
【００２０】
この太陽電池パネルの配設において、隣接する太陽電池パネルは、離間状に配設されることが望ましい。後述する図示実施例に示すように、太陽電池パネルの端部を位置規制すると共にその配設間隔を保持することができる取付部材を予め下地に固定し、この取付部材に太陽電池パネルを配設することで、流れ方向に隣接する太陽電池パネルは、一定間隔の離間状に配設することができる。
【００２１】
また、この太陽電池パネルは、陸屋根や庭等に組み付け設置した支持架台上に支持させてもよいし、後述する図示実施例に示すように屋根下地上に所定間隔（裏面空間）を隔てて敷設するようにしてもよい。この屋根下地としては、既存の瓦、スレート、金属等の公知の屋根でも、新たに敷設される瓦、スレート、金属等からなる屋根でも、太陽電池の裏面側に屋根としての雨仕舞性能を有するものが望ましく、その仕様を問うものではなく、例えば塩ビ等の防水シートからなる防水層でもよい。また、金属等によって構成される既存もしくは新設の屋根は、横葺き状、縦葺き（瓦棒葺き、平滑状等）、折板等の如何なるものであってもよい。
これらの下地を構成する部材に直接太陽電池パネルを取り付けてもよいし、各種の取付金具や取付架材、持出金具、横桟、縦桟等の取付具を介して太陽電池パネルを取り付けるようにしてもよい。即ち本発明における下地としては、上述の下地、又はそれに取り付ける取付具等をも含むものである。
【００２２】
本発明は、前述のように太陽電池パネルの枠体の側面部に設けた係合溝に、外設部材に設けた係合部を取り付けた取付構造、及びそれを用いた外装構造を提案する。
なお、本発明の外設部材としては、太陽電池パネルの枠体の全長に亘る横長の一部材を取り付けるようにしても、ピース状の複数部材を取り付けるようにしてもよいが、当然のことながら、施工性を考慮した場合には前者が好ましい。
【００２３】
前記枠体は、側面部に上方又は外方が開放する係合溝を有する構成である。
この枠体の係合溝は、長さ方向に連続状であってもよいし、所定間隔で複数に形成されるものでもよい。
なお、前述のように本発明では、「外設部材の各係合部を枠体の係合溝に係合した状態で長さ方向にスライドさせて一体化可能である」構成であり、係合溝や係合部の「係合」とは、スライド以前の緩く嵌め合わされた状態であって、スライドさせることにより強固に一体化される状態となることを指している。この一体化される構成としては、例えば薄いシートやゴム等の細片を係合部分に介在させるようにしてもよいし、後述する図示実施例のように楔状に係止する構成を（係止受部を枠体の係合溝に、それに対応する係止部を外設部材の係合部に）設けるようにしてもよい。
【００２４】
前記外設部材は、取付状態において前記枠体より上方に延出する起立部と、前記枠体の係合溝に係合可能な複数の係合部と、を有する構成である。
この外設部材の起立部は、取付状態において前記枠体より上方へ延出するものであれば特にその形状等については限定するものではなく、太陽電池パネルの枠体の長さと略同一の横長状でもよいし、適宜長さであってもよい。更に、この起立部は、太陽電池表面に対して略鉛直状であっても、内側、外側への傾斜状であってもよい。また、起立部は、略平坦状の起立片状でも、弧状（曲面状）又は段状の起立片状でもよい。
また、この外設部材の係合部は、取付状態において前記枠体の係合溝に係合可能であれば特にその形状等については限定するものではなく、例えば縦係合溝に係合する縦係合部としては、連続する縦片状（下垂連続片状）であってもよいし、所定間隔で複数の縦片が形成される櫛歯状（下垂櫛歯状）であってもよい。
【００２５】
なお、本発明に用いる外設部材は、起立部を有するため、雪止め作用を果たす。特に前述のように隣接する太陽電池パネルが、離間状に配設されている場合には、雪を太陽電池パネル間へ、或いは該パネル間から裏面空間へ落とすこともできる。
さらに、この起立部は、太陽電池パネルの表面を流れる風（吹き上げ風）に対し、害せ部材を取り付けた枠体の風下に減圧空間が形成され、裏面側の空気（熱量）を吸い出すように排出することができる。このように、太陽電池パネルの裏面空間内の空気を排出することが可能であり、太陽電池パネルの裏面空間内の排熱が円滑に行え、太陽電池セルの発電効率の低下を抑制することができる。
【００２６】
このような構成を有する本発明の外設部材の取付構造は、外設部材の係合部を前記枠体の係合溝に係合した状態で長さ方向にスライドさせて一体化することができる。しかも、外設部材の係合部を複数設けたので、スライド幅を最小限にすることができる。
また、必要に応じて外設部材を逆方向にスライドさせることにより、容易に外設部材を枠体から取り外すことができる。
なお、外設部材の起立部は、雪止め具として作用させることができ、太陽電池パネルの裏面空間内の空気を排出する作用も果たすので、太陽電池パネルの裏面空間内の排熱が円滑に行え、太陽電池セルの発電効率の低下を抑制することができる。
【実施例１】
【００２７】
図１に示す本発明の第１実施例は、太陽電池パネル１の棟側に位置する枠体１１ａに外設部材２として雪止め具を取り付けた構造であり、外設部材２に設けた複数の各係合部２３を、枠体１１ａに設けた係合溝１２１に係合した状態で長さ方向にスライドさせて一体化可能であることを特徴とする。
【００２８】
図１（ａ），（ｂ）に示すように太陽電池パネル１は、下地４上に敷設した断面ハット型の支持部材（垂木）３の上に載置され、棟側に位置する枠体１１ａは、複数の横長の通気孔１１０を有する縦片状の側面部１１２の下端から内側へ固定片１１３が延在し、側面部１１２の外側に断面Ｌ字状部分１２を有する構成であり、支持部材３の上面３１に設けた切り起こし爪３１１に固定片１１３の先端が係止される状態で固定されている。これに対し、軒側に位置する枠体１１ｂは、Ｌ字状部分１２が形成されない以外は殆ど同じ構成であって、略Ｚ字状の押さえ部材５にて支持部材３に固定されている。
【００２９】
前記枠体１１ａは、長さ方向に延在する縦壁１２１と横片１２２とで形成されるＬ字状部分１２を有するので、側面部１１２との間に上方が開放する係合溝１３を形成する構成であり、この係合溝１３には、断面Ｌ字状部分１２の縦壁１２１の上端に設けた隆出部１３１が内側へ突出している。但し、縦壁１２１は、所定間隔で低く形成されているので、隆状部１３１も長さ方向に所定間隔で形成され、結果的に係合溝１３は長さ方向に浅溝１４を挟んで所定間隔にて形成されている。
【００３０】
前記外設部材２は、取付状態において前記枠体１１ａより上方に延出する起立部２１と、該起立部２１の下方に位置する縦片２２とで構成され、図示実施例では前記起立部２１がやや外側へ傾斜する傾斜片状であり、前記縦片２２が略垂直状に形成され、下端から外側へ厚肉状に形成された係合部（縦係合部）２３が長さ方向の所定間隔で複数形成されている。
なお、外設部材２の係合部２３及び枠体１１ａの係合溝１３については、図１（ｃ）にそれぞれの端縁部分を拡大して示した。また、これらの係合状態については、図１（ａ）にその端縁部分を拡大して示した。
【００３１】
この第１実施例における配設手順を図に基づいて説明すると、まず、図１（ｃ）に示すように前記構成の太陽電池パネル１の棟側に位置する枠体１１ａの上方に、前記構成の外設部材２を臨ませるが、より詳しくは枠体１１ａの各浅溝１４の直上に外設部材２の各係合部２３が位置するように臨ませる。
【００３２】
この状態で、図１（ｃ）中の白抜き矢印で示すように、上方から下方へ外設部材２を配設し、図１（ｄ）に示すように縦片２２が枠体１１ａの係合溝１３及び浅溝１４に係合するように配設する。この状態では、枠体１１ａの各浅溝１４に外設部材２の各係合部２３の下端が緩く係合すると共に、枠体１１ａの各係合溝１３に外設部材２の縦片２２が緩く係合しているに過ぎないが、Ｌ字状部分１２の縦壁１２１が外設部材２の外側への傾倒を防止して安定に保持している。
【００３３】
続いて、この状態で、図１（ｄ）中の白抜き矢印で示すように、外設部材２を長さ方向へスライド（図中、右奥側から左手前側へ）させ、図１（ｅ）に示すように各係合部２３が各係合溝１３に位置するように配設する。
【００３４】
この図１（ｅ）のように係合溝１３に係合部２３が位置すると、係合溝１３内にて隆状部１３１と係合部２３（の厚肉部分）とが係合して一体化状態となる。必要に応じて外設部材２を取り外す際には、外設部材２に、図１（ｄ）に示した白抜き矢印の逆方向の力を加えれば容易に取り外すことができる。
【００３５】
このように施工される本発明の第１実施例の外設部材２の取付構造は、枠体１１ａの側面部１１２に上方が開放する係合溝（縦係合溝）１３を有し、外設部材２の下端に前記枠体１１ａの係合溝１３に係合可能な複数の係合部（縦係合部）２３を有し、設置後又は設置前の太陽電池パネル１の上方から外設部材２の係合部を枠体１１ａの係合溝１３に係合した状態で長さ方向にスライドさせて一体化することができる。しかも、外設部材２の係合部２３を複数設けたので、スライド幅を最小限にすることができる。また、必要に応じて外設部材２を逆方向にスライドさせることにより、容易に枠体１１ａから取り外すことができる。
【００３６】
図２に示す本発明の第２実施例は、太陽電池パネル１の棟側に位置する枠体１１ｅが、前記第１実施例における枠体１１ａと同様に縦壁１２１と横片１２２とで形成されるＬ字状部分１２ｅを有するが、このＬ字状部分１２ｅは、長さ方向に所定間隔を隔てて複数形成される点が前記第１実施例と相違するが、それ以外の構成は殆ど前記第１実施例と同一であり、図面に同一符号を付して説明を省略する。
なお、この図２における枠体１１ｅも、縦片状の側面部１１２に複数の横長の通気孔１１０を有するが、それ以外の構成を明確にするために、取付状態を示した図２（ｃ）以外は、通気孔１１０を省略して示した。
【００３７】
この第２実施例では、施工手順についても前記第１実施例とほぼ同様に行うことができるが、前述のように複数のＬ字状部分１２ｅが所定間隔を隔てて形成される構成であるから、各係合溝１３が所定間隔を隔てて形成される点では前記第１実施例と同様であるが、前記第１実施例のように浅溝１４が設けられる構成ではないため、図２（ａ），（ｂ）に示すように外設部材２を上方から下方へ配設した状態では前記第１実施例の方が僅かに安定性には優れている。尤も、Ｌ字状部分１２ｅの縦壁１２１がこの状態における外設部材２の外側への傾倒を防ぐ点では前記第１実施例と全く同様であるから、同様の安定な保持状態が得られる。
続いて図２（ｂ），（ｃ）に示すように外設部材２を長さ方向へスライドさせて各各係合部２３が各係合溝１３に位置するように配設する工程も全く同様に実施することができる。
【００３８】
図３に示す本発明の第３実施例は、太陽電池パネル１の棟側に位置する枠体１１ｆが、前記第２実施例における枠体１１ｅと同様に縦壁１２１と横片１２２とで形成されるＬ字状部分１２ｆが、長さ方向に所定間隔を隔てて複数形成されるが、その基端となる側面部１１２には、外方が開放する横係合溝である係合溝１５が長さ方向に沿って形成される構成である。なお、この図３における枠体１１ｆも、縦片状の側面部１１２に複数の横長の通気孔１１０を有するが、それ以外の構成を明確にするために、取付状態を示した図３（ｄ）以外は、通気孔１１０を省略して示した。
【００３９】
また、この第３実施例における外設部材２Ｆは、起立部２１については他の実施例のものと同様であるが、この起立部２１の下方に位置する縦片２２ｆが、長さ方向に所定間隔を隔てて形成される櫛歯状であって、しかもその下端が内側へ略直角状に折曲された構成である。この内側へ向かう横片は、前記係合溝１５に係合する係合部（横係合部）２４である。
それら以外の構成は殆ど前記第１実施例又は第２実施例と同一であり、図面に同一符号を付して説明を省略する。
【００４０】
この第３実施例では、枠体１１ｆに設けた外方が開放して内側へ延在する係合溝１５が横係合溝であり、外設部材２Ｆに設けた内側へ突出する係合部２４が横係合部であるため、前記第１実施例や第２実施例と異なり、図３（ｂ）に示すように、前記構成の枠体１１ｆの側方に、前記構成の外設部材２Ｆを臨ませるが、より詳しくは枠体１１ｆのＬ字状部分１２ｆが存在しない部分の外側に、外設部材２Ｆの各係合部２４が位置するように臨ませる。
【００４１】
この状態で、図３（ｂ）中の白抜き矢印で示すように、外側から外設部材２Ｆを押し込むように配設し、図３（ｃ）に示すように縦片２２ｆがＬ字状部分１２ｆ，１２ｆ間に位置し、係合部２４が係合溝１５に係合するように配設する。この状態では、枠体１１ｆの係合溝１５に外設部材２Ｆの各係合部２４の先端が緩く係合しているに過ぎない。
【００４２】
続いて、この状態で、図３（ｃ）中の白抜き矢印で示すように、外設部材２Ｆを長さ方向へスライド（図中、右奥側から左手前側へ）させ、図３（ｄ）に示すように各係合部２４が各係合溝１５に位置するように配設する。
【００４３】
この図３（ｄ）のように係合溝１５に係合部２４が位置すると、Ｌ字状部分１２ｆの縦壁１２１が外設部材２Ｆの外側への傾倒及び抜け出しを防止するため、安定に係合保持され、一体化状態となる。なお、より強力な一体化状態を得るためには、薄いシートやゴム等の細片を係合部分に介在させるようにしてもよい。必要に応じて外設部材２Ｆを取り外す際には、外設部材２Ｆに、図３（ｃ）に示した白抜き矢印の逆方向の力を加えれば容易に取り外すことができる。
【００４４】
図４に示す本発明の第４実施例は、太陽電池パネル１の棟側に位置する枠体１１ｇが、前記第３実施例における枠体１１ｆと同様に外方が開放して内側へ延在する係合溝（横係合溝）１５ｇが長さ方向に沿って形成されているが、長さ方向に所定間隔を隔てて複数形成されるＬ字状部分１２ｇが、前記係合溝１５ｇに沿うものではなく、側面部１１２の下方に離れた位置に形成される構成である。また、このＬ字状部分１２ｇは、長さ方向に延在する縦壁１２１と横片１２２とで形成されるＬ字状部分１２を有するので、前記第１実施例や前記第２実施例と同様に側面部１１２との間に上方が開放する係合溝（縦係合溝）１３ｇを形成する構成である。なお、この図４における枠体１１ｇも、縦片状の側面部１１２に複数の横長の通気孔１１０を有するが、それ以外の構成を明確にするために、図４（ｃ），（ｄ）以外は、通気孔１１０を省略して示した。
【００４５】
また、第４実施例における外設部材２Ｇは、起立部２１については他の実施例のものと同様であるが、この起立部２１の下方に位置する縦片２２ｇが、長さ方向に所定間隔を隔てて形成される櫛歯状である構成では、前記第３実施例のものと同様であるが、その下端より上方に係合部（横係合部）２４ｇが設けられた構成である。言い換えれば、この第４実施例における縦片２２ｇは、係合部２４ｇより下方に延在している構成であり、係合部２４ｇより下方に位置する部分は、前記係合溝（縦係合溝）１３ｇに係合する係合部（縦係合部）２３ｇである。
それら以外の構成は殆ど前記第３実施例と同一であり、図面に同一符号を付して説明を省略する。
【００４６】
この第４実施例では、枠体１１ｇに設けた外方が開放して内側へ延在する横係合溝も係合溝１５ｇであり、上方が開放して下側へ延在する縦係合溝も係合溝１３ｇであり、縦横それぞれに係合溝１３ｇ，１５ｇを有する構成である。
また、外設部材２Ｇに設けた内側へ突出する横係合部も係合部２４ｇであり、下方へ突出する縦係合部も係合部２３ｇであり、縦横それぞれに係合部２３ｇ，２４ｇを有する構成である。
前記第３実施例でも、枠体１１ｆにＬ字状部分１２ｆを設けているので、側面部１１２との間に縦係合溝を形成していると見なせるし、外設部材２Ｆの縦片２２ｆは該縦係合溝に係合する縦係合部と言うこともできる。したがって、前記第３実施例も、枠体１１ｆに縦横それぞれに係合溝、外設部材２Ｈに縦横それぞれに係合部を設けた構成ということもできる。
そのため、この第４実施例も、前記第３実施例と全く同様の手順にて施工することができ、縦横それぞれの係合溝１３ｇ、１５ｇに対し、縦横それぞれの係合部２３，２４ｇを係合させて安定に一体化させることができる。
【００４７】
図５に示す本発明の第５実施例は、太陽電池パネル１の棟側に位置する枠体１１ｈが、前記第４実施例における枠体１１ｇとほぼ同様の構成であって、外方が開放して内側へ延在する係合溝（横係合溝）１５ｈが長さ方向に沿って形成され、長さ方向に所定間隔を隔てて複数形成されるＬ字状部分１２ｈが、前記係合溝１５ｈに沿うものではなく、側面部１１２の下方に離れた位置に形成され、側面部１１２との間に上方が開放する係合溝（縦係合溝）１３ｈを形成する構成である。
【００４８】
また、第５実施例における外設部材２Ｈは、起立部２１については他の実施例のものと同様であるが、図５（ｂ）に示すようにこの起立部２１の下方に位置する縦片２２ｈが、略垂直状の縦片である点では他の実施例のものと同様であるが、更に下方へ延在する縦係合部２３ｈが長さ方向に所定間隔を隔てて形成される櫛歯状に形成され、その下端より上方に内側へ突出する横係合部２４ｈが設けられた構成である。なお、この第５実施例における横係合部２４ｈは、長手方向端部（左手前側）には形成されていない。
それら以外の構成は殆ど前記第４実施例と同一であり、図面に同一符号を付して説明を省略する。
【００４９】
この第５実施例では、図５（ｂ）に示すように、前記構成の枠体１１ｈの側方に、前記構成の外設部材２Ｈを臨ませるが、より詳しくは枠体１１ｈのＬ字状部分１２ｆが存在しない部分の外側に、外設部材２Ｈの各横係合部２４ｈが位置するように臨ませる。この状態で、図５（ｂ）中の白抜き矢印で示すように、外側から外設部材２Ｈを押し込むように配設し、図５（ｃ）に示すように各縦係合部２３ｈがＬ字状部分１２ｈ，１２ｈ間に位置し、横係合部２４が横係合溝１５ｈに係合するように配設する。この状態では、枠体１１ｈの横係合溝１５ｈに外設部材２Ｈの横係合部２４ｈの先端が緩く係合しているに過ぎない。
【００５０】
続いて、この状態で、図５（ｃ），（ｄ）中の白抜き矢印で示すように、外設部材２Ｈを長さ方向へスライドさせ、図５（ｅ）に示すように各縦係合部２４ｈが各縦係合溝１５ｈに位置するように配設する。
【００５１】
この図５（ｅ）のように縦係合溝１５ｈに縦係合部２４ｈが位置すると、縦横それぞれの係合により、安定に係合保持され、一体化状態となる。なお、より強力な一体化状態を得るためには、薄いシートやゴム等の細片を係合部分に介在させるようにしてもよい。必要に応じて外設部材２Ｈを取り外す際には、外設部材２Ｈに、図５（ｃ），（ｄ）に示した白抜き矢印の逆方向の力を加えれば容易に取り外すことができる。
【００５２】
図６は、枠体の側面部に形成する通気孔の例を示すものであり、前記第５実施例における側面部１１２を例にして示した。
図６（ａ）の例は、側面部に、横長の比較的大径の通気孔１１０ａと、小径の通気孔１１０ｂとの２種類を交互に設けたものであり、図６（ｂ）の例は、側面部に、横長の比較的小径の通気孔１１０ｃをほぼ所定間隔で設けたものである。
【符号の説明】
【００５３】
１  太陽電池パネル
１０  太陽電池モジュール
１１ａ，１１ｂ，１１ｃ，１１ｅ〜１１ｈ  枠体
１１０  通気孔
１１１  支持部
１１２  側面部
１１３  固定片
１２，１２ｅ〜１２ｈ  Ｌ字状部分
１２１  縦壁
１３  （縦）係合溝
１３１  隆状部
１４  浅溝
１５，１５ｇ，１５ｈ  （横）係合溝
２，２Ｆ〜２Ｈ  外設部材
２１  起立部
２２，２２ｆ〜２２ｈ  縦片
２３，２３ｇ，２３ｈ  （縦）係合部
２４，２４ｇ，２４ｈ  （横）係合部
３  支持部材（垂木）
３１  上面
３１１  切り起こし爪
４  下地
５  押さえ部材
【図１】
2015076541.tif 000003
【図２】
2015076541.tif 000004
【図３】
2015076541.tif 000005
【図４】
2015076541.tif 000006
【図５】
2015076541.tif 000007
【図６】
2015076541.tif 000008